(57)【要約】【課題】点灯状態が正常であっても、将来的に不点灯や破裂に至る可能性を予測し、ユーザーに通知することによって、予め新品ランプへ交換して、不点灯や破裂に至ることを未然に防ぐ、あるいは万が一不点灯や破裂が起こったとしても、事前にランプを準備することにより、画像を見ることが出来ない不都合の期間を排除、あるいは最小限に抑えることができるプロジェクター等のランプ駆動制御装置を提供することを目的とする。【解決手段】マイコン１が、所定時間ごとにランプ駆動電圧値を、メモリ４に記録保存するとともに、記録されたランプ駆動電圧値の推移から、現在正常値であっても近い将来正常電圧値を逸脱する電圧値に変移する可能性があると判断した場合に、異常状態であることをオンスクリーン表示あるいは通知する。【選択図】図１
2009301773.tif 000002
【特許請求の範囲】
【請求項１】
ランプと、前記ランプを駆動するランプ駆動回路と、メモリと、前記ランプ駆動回路と前記メモリを制御する制御部とを具備し、
前記制御部は、第１の所定時間ごとに前記ランプ駆動回路が前記ランプを駆動する際のランプ駆動電圧値を、前記メモリに記録保存するとともに、
記録された前記ランプ駆動電圧値の推移から、正常電圧値を逸脱する電圧値になると予測される場合に、異常状態であると判断し、異常状態であることを表示あるいは通知する手段を有することを特徴とするランプ駆動制御装置。
【請求項２】
制御部は、ランプ駆動電圧値が、予め記憶されている推移から所定の条件を逸脱した場合に、異常状態であると判断することを特徴とする請求項１記載のランプ駆動制御装置。
【請求項３】
所定の条件は、メモリに記録保存した第１の所定時間ごとのランプ駆動電圧値の変移が第１の所定値を超えた場合、または、前記第１の所定時間よりも長い第２の所定時間でのランプ駆動電圧値の変移が第２の所定値を超えた場合の少なくとも１方の条件を満たす場合であることを特徴とする請求項２記載のランプ駆動制御装置。
【請求項４】
制御部は、異常状態であると判断後、第３の所定時間異常状態が継続した場合に、ランプ駆動回路を制御し、ランプを消灯することを特徴とする請求項１乃至請求項３のいずれかに記載のランプ駆動制御装置。
【請求項５】
異常状態であることを表示あるいは通知する手段として、投射画像上でのオンスクリーン表示、警告ＬＥＤの点灯や点滅、音による発信、メール送信やデータ送信をはじめとした通信手段を介しての通知の少なくとも１つの手段を有していることを特徴とする請求項１記載のランプ駆動制御装置。
【発明の詳細な説明】
【技術分野】
【０００１】
本発明は、プロジェクター等に使用されるランプの駆動制御装置に関し、詳しくはランプの異常に対応することのできるランプ駆動制御装置に関する。
【背景技術】
【０００２】
従来、表示素子に液晶やＤＭＤ（デジタルマイクロミラーデバイス）を用いたプロジェクターは、小型軽量ながら大画面画像を投射表示できるため、各社から数多く商品が市場に投入されている。
【０００３】
近年、プロジェクターは年々高輝度、高画質化が進み、最近では外光を落とすことなく大画面画像を鑑賞できるようになってきており、これに伴って画像を投射するためのランプに高輝度のものが望まれている。
【０００４】
プロジェクターの光源として使用するランプは、高輝度化に伴って、内部圧力が高圧になるため、水銀やキセノンなどの化学物質の封止が難しくなる、あるいは温度が９００度や１０００度といった高温状態を長時間続けるなど、正規に駆動させるための条件が難しくなっている。
【０００５】
また、長期間の使用によってランプの電極部に水銀などが付着するなどによって、点灯しにくい、あるいは、点灯しないという現象になるばかりでなく、点灯中にランプが破裂するという場合がある。
【０００６】
もし、ランプが破裂に至った場合、破裂音だけでなく、ランプを構成するガラスや金属が砕け、プロジェクター外に放出される危険性がある。
【０００７】
これを回避するために、例えば、特許文献１に開示されているような、マイコンがランプ駆動電圧を監視し、異常電圧値になった場合に、ランプを消灯するという手段が考案されている。
【０００８】
特許文献１によれば、ランプの点灯状態を監視し、ランプ点灯後、所定時間消灯状態であることが検出された場合に、警告ランプと警告ブザーで使用者に知らせるとともに、ランプの電源を切断して、安全性を確保している。
【特許文献１】特開平４−３６８９２６号公報
【発明の開示】
【発明が解決しようとする課題】
【０００９】
上記従来の技術では、ランプが消灯したことが異常状態として検出されるため、ユーザーはランプが消灯後に異常状態であることを知ることになる。
【００１０】
しかしながら、これによって安全性は確保されるが、ユーザーが常にあらかじめ、交換用の新品ランプを用意しているとは限らず、新品のランプを手配、入手するまでの間、画像表示が長時間不可能になるという問題があった。
【００１１】
また、交換用のランプを予め用意している場合であっても、天吊設置状態、あるいはビルトインで設置されている場合などでは、すぐにランプを交換することができないため、授業、講義や、プレゼンテーションの場面で、突然画像表示を行なうことが不可能になる場合があるなど、大変な時間のロスや、販売機会などを失うことにも繋がっていた。
【００１２】
本発明は、上記問題を解決するもので、点灯状態が正常であっても、近い将来に不点灯や破裂に至る可能性を予測し、ユーザーに通知することによって、予め、新品ランプに交換して、不点灯や破裂に至ることを未然に防ぐ、あるいは万が一不点灯や破裂が起こったとしても、事前にランプを準備することにより、画像を見ることが出来ない不都合の期間を排除、あるいは最小限に抑えることができるプロジェクター等のランプ駆動制御装置を提供することを目的とする。
【課題を解決するための手段】
【００１３】
上記課題を解決するために、本発明のランプ駆動制御装置は、
ランプと、前記ランプを駆動するランプ駆動回路と、メモリと、前記ランプ駆動回路と前記メモリを制御する制御部とを具備し、
前記制御部は、所定時間ごとに前記ランプ駆動回路が前記ランプを駆動する際のランプ駆動電圧値を、前記メモリに記録保存するとともに、
記録された前記ランプ駆動電圧値の推移から、正常電圧値を逸脱する電圧値になると予測される場合に、異常状態であると判断し、異常状態であることを表示あるいは通知する手段を有するものである。
【００１４】
また、所定期間異常状態が継続した場合に、前記ランプを消灯させるものである。
【発明の効果】
【００１５】
以上のように本発明によると、ユーザーは正常に画像表示が行なわれているときであっても、将来、ランプが点灯しにくくなる、あるいは点灯しなくなる可能性があるということを、予め知ることができるので、新品のランプを手配、交換することが可能となる。
【００１６】
これによって、ランプが点灯しにくい、点灯しないなどの状態になってもすぐに交換して画像表示を続行することができる。
【００１７】
したがって、講義、授業やプレゼンテーションの場面では、突然のランプ消灯などのトラブルが起こる前に、休憩時間中にランプ交換を行なうことによって、必要とされる画像表示の場面を区切れることなく投射することができる。
【発明を実施するための最良の形態】
【００１８】
以下では、本発明にかかる実施の形態について、図面を参照しつつ説明を行う。
【００１９】
（実施の形態１）
図１は、本発明の第１の実施の形態のランプ駆動制御装置を備えたプロジェクターの構成図である。
【００２０】
本実施の形態のプロジェクターのランプ駆動制御装置について、以下図１を用いてその動作を説明する。
【００２１】
図において、１はマイコン、２はランプ、３はランプ２を駆動するランプ駆動回路、４はメモリ、６は入力端子、７は信号処理回路、８は液晶パネル、９は投射レンズである。
【００２２】
入力端子６からの入力信号は信号処理回路７によって、液晶パネル８に印加され、画像を形成する。
【００２３】
ここで、信号処理回路７は、文字キャラクター信号を映像信号データに重畳するオンスクリーン機能を有しているものとする。
【００２４】
一方、ランプ駆動回路３によって点灯されたランプ２の放射光は、画像を形成された液晶パネル８に照射され、液晶パネル８を透過した光は、投射レンズ９によってスクリーン（図示せず）に拡大投射され、画像が表示される。
【００２５】
次に、ランプの異常検出動作について説明する。
【００２６】
まず、マイコン１はランプ駆動回路３から第１の所定時間ごとに、ランプ２を駆動するランプ駆動電圧を読み取り、メモリ４に順次、記録保存する。
【００２７】
図２は、メモリ４に記録保存された、第１の所定時間ごとのランプ駆動電圧変移の一例であり、第１の所定時間は、例えば３０分や１時間である。
【００２８】
図２において、横軸は時間、縦軸はランプ駆動電圧である。
【００２９】
図２中、Ａは正常なランプ駆動電圧変移の一例、Ｂは異常状態になる可能性があるランプ駆動電圧変移の一例、Ｃは異常状態であるランプ駆動電圧変移の一例である。
【００３０】
また、横軸の時間をｔ１〜ｔ５とし、Ａ、Ｂ、Ｃのｔ１〜ｔ５ごとの各データをそれぞれ、ＶＡｔ１〜ＶＡｔ５、ＶＢｔ１〜ＶＢｔ５およびＶＣｔ１〜ＶＣｔ５とする。すなわち、ｔ１〜ｔ２、ｔ２〜ｔ３、ｔ３〜ｔ４、ｔ４〜ｔ５がそれぞれ第１の所定時間である。
【００３１】
また、ランプ駆動電圧の正常と判断される閾値電圧を、Ｖｔｈｈ、Ｖｔｈｌとし、マイコン１に予め記憶されている第１の所定時間におけるランプ駆動電圧の閾値を、ΔＶ１、第２の所定時間におけるランプ駆動電圧の閾値をΔＶ２とする。
【００３２】
すなわち、第１の所定時間におけるランプ駆動電圧の変移がΔＶ１を上回る、もしくは第２の所定時間におけるランプ駆動電圧の変移がΔＶ２を上回ると、異常状態であると判断するものである。
【００３３】
Ａの場合は、ＶＡｔ１〜ＶＡｔ５の全てのランプ駆動電圧がＶｔｈｌからＶｔｈｈの範囲内であり、且つ、ＶＡｔ１〜ＶＡｔ２、ＶＡｔ２〜ＶＡｔ３、ＶＡｔ３〜ＶＡｔ４、ＶＡｔ４〜ＶＡｔ５の各時間の変移量が、マイコン１に記憶されている変移の閾値ΔＶ１よりも小さい、また、ＶＡｔ１〜ＶＡｔ５での変移量がマイコン１に記憶されている変移の閾値ΔＶ２よりも小さい。
【００３４】
すなわち、各時間のランプ駆動電圧値が正常であり、且つ、変移量も少ないため、正常状態であると判断する。
【００３５】
一方、Ｂの場合は、ＶＢｔ１〜ＶＢｔ５全てのランプ駆動電圧がＶｔｈｌからＶｔｈｈの範囲内であり、且つＶＢｔ１〜ＶＢｔ２、ＶＢｔ２〜ＶＢｔ３、ＶＢｔ３〜ＶＢｔ４、ＶＢｔ４〜ＶＢｔ５の各時間の変移量は、マイコン１に記憶されている変移の閾値ΔＶ１よりも小さいが、第２の所定時間であるＶＢｔ１〜ＶＢｔ５での変移量がマイコン１に記憶されている変移の閾値ΔＶ２よりも大きい。
【００３６】
すなわち、第１の所定時間ごとの変移は問題ないが、第２の所定時間での変移が大きいため、異常状態に近いと判断する。この状態は、ランプ２内部の電極（図示せず）に水銀などの内部物質の付着が時間経過に伴って進行し、ランプ２が点灯しにくくなっている状態で発生しうる現象を示している。
【００３７】
この時、マイコン１は信号処理回路７を制御して、ランプ２が異常状態に推移する可能性があること、新規ランプを手配することを推奨する旨を伝える警告文をオンスクリーンで表示する。
【００３８】
更に、オンスクリーン表示したにもかかわらず、第３の所定時間以上、同様のランプ駆動電圧変移が続く場合には、ランプ２が交換されていないと判断して、プロジェクターをシャットダウンさせ、ランプ２の破裂を未然に防止する。
【００３９】
一方、Ｃの場合はＶＣｔ１〜ＶＣｔ５全てのランプ駆動電圧がＶｔｈｌからＶｔｈｈの範囲内ではあるが、ＶＣｔ１〜ＶＣｔ２、ＶＣｔ２〜ＶＣｔ３、ＶＣｔ３〜ＶＣｔ４、ＶＣｔ４〜ＶＣｔ５の各時間ごとの変移量が、マイコン１に記憶されている変移の閾値ΔＶ１よりも大きいため異常状態であると判断する。この状態は、ランプ２で何らかの異常状態が起こっている場合に発生しうる現象であることを示している。
【００４０】
この場合も同様に、マイコン１は信号処理回路７を制御して、ランプ２が異常状態に推移する可能性があること、新規ランプを手配することを推奨する旨を伝えるオンスクリーンを表示する。
【００４１】
更に、オンスクリーン表示したにもかかわらず、第３の所定時間以上、同様のランプ駆動電圧変移である場合には、ランプ２が交換されないと判断して、プロジェクターをシャットダウンさせ、ランプ２の破裂を未然に防止する。
【００４２】
以上のように、ランプ駆動電圧値が正常であって、正常に画像が表示されている場合であっても、マイコン１が、ランプが異常状態に推移する可能性があると判断して、新規ランプを手配する必要があることをユーザーに伝えることによって、ランプ不点灯や破裂といったトラブルを未然に防ぐことが出来る。
【００４３】
上記実施の形態では、異常状態になった場合にオンスクリーン表示するとしたが、これに限らず、警告ＬＥＤ（図示せず）の点灯や、点滅あるいは音の発信などによって異常状態を記すとしても良い。
【００４４】
（実施の形態２）
図３は、本発明の第２の実施形態のランプ駆動制御装置を備えたプロジェクターの構成図である。
【００４５】
図３中、実施の形態１の図１と異なるところは、ＬＡＮ端子１０とマイコン１１であり、マイコン１１は実施の形態１のマイコン１の機能に加えてネットワーク接続機能を有している点である。その他の構成デバイスは、実施の形態１と同じである。
【００４６】
実施の形態１と同様の動作によって、ランプ駆動電圧の変移が異常状態になる可能性があると判断した場合は、マイコン１１が、ネットワークを介してメール送信、あるいはプロジェクターの制御を行なっている装置や設備に対してＬＡＮ端子１０から信号やデータを発信する。
【００４７】
これによって、実施の形態１と同様に、ランプ駆動電圧値が正常であって、正常に画像が表示されている場合であっても、マイコン１１が、ランプが異常状態に推移する可能性があると判断して、新規ランプを手配する必要があることをユーザーに伝えることによって、ランプ不点灯や破裂といったトラブルを未然に防ぐことが出来る。
【００４８】
また、実施の形態１のようにオンスクリーン表示を行なわないので、画像の鑑賞者には異常状態であることを感知されることなく、プロジェクターの管理者のみが異常状態を知ることができる。
【００４９】
上記実施の形態１、２においては、ｔ１からｔ５の期間のランプ駆動電圧値の増減、および変移量から、ランプが正常であるか異常であるかを判断したが、これに限らず、例えばランプ点灯累積時間によって異常と判断する閾値を変化させる、あるいはランプ駆動電圧の増減回数を条件に加えるなど、判断基準を変えてもよい。
【００５０】
すなわち、使用するランプの特性に応じて、正常か異常かを判断する機能をマイコンに設け、ランプ駆動電圧が正常状態である場合であっても、近い将来に異常状態に変移することを判断することができる。
【００５１】
もちろん、実施の形態１、２を組み合わせてもよい。
【００５２】
また、これらの実施形態では表示デバイスに液晶パネルを用いた液晶プロジェクターについて述べたが、表示デバイスは液晶に限らず、例えばＤＭＤであってもよいことは言うまでもない。
【産業上の利用可能性】
【００５３】
本発明にかかるランプ駆動制御装置は、所定時間ごとにランプ駆動電圧をメモリに記録保存し、記録されたランプ駆動電圧値の推移から、正常電圧値を逸脱する電圧値になると予測される場合に、ランプが異常状態に推移する可能性があると判断して、オンスクリーンで警告表示するなどで、予めユーザーに知らせることにより、ユーザーは新品のランプを手配、交換するなどの対応をすることが可能となり、ランプの交換を要するプロジェクター等に有用である。
【図面の簡単な説明】
【００５４】
【図１】本発明の第１の実施形態のランプ駆動制御装置を備えたプロジェクターの構成図
【図２】所定時間ごとのランプ駆動電圧変移の一例を示す図
【図３】本発明の第２の実施形態のランプ駆動制御装置を備えたプロジェクターの構成図
【符号の説明】
【００５５】
１、１１  マイコン
２  ランプ
３  ランプ駆動回路
４  メモリ
５  マイコン
６  入力端子
７  信号処理回路
８  液晶パネル
９  投射レンズ
１０  ＬＡＮ端子
【図１】
2009301773.tif 000003
【図２】
2009301773.tif 000004
【図３】
2009301773.tif 000005